(57)【要約】【課題】エネルギー効率を向上させた蒸気発生装置を提供すること。【解決手段】タンク部２と、タンク部２の内部に水平方向に延びて配置され、内部に熱源となる温水が流通するチューブ２５と、チューブ２５に温水を供給する温水供給ラインＬ１と、チューブ２５から温水を排出する温水排出ラインＬ２と、タンク部２の内部におけるチューブ２５よりも上方に配置され、チューブ２５に水を噴霧する噴霧ノズル２３と、タンク部２の上部に設けられ、タンク部２の内部で発生した蒸気を導出する蒸気導出部２４と、タンク部２の下部に貯留された水を噴霧ノズル２３に供給する噴霧水供給ラインＬ４と、噴霧水供給ラインＬ４に設けられる噴霧水供給ポンプ７と、を備え、タンク部２の奥行き方向の長さは、タンク部２の高さ方向の長さよりも長い蒸気発生装置１。【選択図】図２
2014062663.tif 000002
【特許請求の範囲】
【請求項１】
タンク部と、
前記タンク部の内部に水平方向に延びて配置され、内部に熱源となる温水が流通するチューブと、
前記チューブに温水を供給する温水供給ラインと、
前記チューブから温水を排出する温水排出ラインと、
前記タンク部の内部における前記チューブよりも上方に配置され、該チューブに水を噴霧する噴霧ノズルと、
前記タンク部の上部に設けられ、該タンク部の内部で発生した蒸気を導出する蒸気導出部と、
前記タンク部の下部に貯留された水を前記噴霧ノズルに供給する噴霧水供給ラインと、
前記噴霧水供給ラインに設けられる噴霧水供給ポンプと、を備え、
前記タンク部の奥行き方向の長さは、該タンク部の高さ方向の長さよりも長い蒸気発生装置。
【請求項２】
前記タンク部は、幅方向の長さが奥行き方向の長さよりも短い複数の直方体状のタンクにより構成され、
前記複数のタンクは、該タンクの幅方向に連結されている請求項１に記載の蒸気発生装置。
【請求項３】
前記噴霧ノズルは前記タンクの幅方向の中央領域に前記タンクの奥行き方向に所定の間隔をあけて複数配列され、
前記チューブは前記タンクの奥行き方向に延びるとともに、該タンクの幅方向に複数列配置され、
前記タンクの幅方向の中央部における前記チューブの本数、前記タンクの幅方向の側部における前記チューブの本数よりも多い請求項２に記載の蒸気発生装置。
【請求項４】
前記タンク部に補給水を供給する補給水ラインと、
前記補給水ラインを流通する補給水と前記温水排出ラインを流通する温水との間で熱交換を行う熱交換器と、を更に備える請求項１〜３のいずれかに記載の蒸気発生装置。
【請求項５】
前記補給水ラインに設けられる逆止弁を更に備え、
前記逆止弁は、前記補給水ラインの上流側への水の流通を遮断するとともに、所定の圧力以上の水圧を受けた場合に前記補給水ラインによる前記タンク部への補給水の供給を許容する請求項４に記載の蒸気発生装置。
【請求項６】
前記温水供給ラインと前記温水排出ラインとを接続するバイパスラインを更に備える請求項１〜５のいずれかに記載の蒸気発生装置。
【発明の詳細な説明】
【技術分野】
【０００１】
本発明は、蒸気発生装置に関する。
【背景技術】
【０００２】
従来、蒸気発生装置としては、燃料を燃焼させて水を沸騰させるボイラが広く用いられている。一方、工場等で発生する排熱のエネルギーを効率よく回収することを可能にするために、燃料を用いずに蒸気を発生させることができるエネルギー効率の高い蒸気発生装置が提案されている（例えば、特許文献１参照）。特許文献１で提案された蒸気発生装置によれば、約９０℃と、比較的低い温度の温水から蒸気を取り出すことができる。
【０００３】
このような、比較的低い温度の温水から蒸気を取り出すことができる蒸気発生装置としては、タンクとこのタンクの内部を貫通するように配置されるチューブとを備えるシェルアンドチューブ型の気水分離器を用いた蒸気発生装置も知られている。シェルアンドチューブ型の気水分離器を用いれば、例えば、ガスエンジンのジャケット冷却水（約９１℃）を熱源としてチューブに流通させるとともに、タンクの内部において、約８２℃の温水をチューブに噴霧することによって、ガスエンジンによって発電機を駆動させるのと同時に蒸気を発生させることが可能となる。この場合、チューブ表面に薄い液膜を形成させることで、チューブ内を流通する熱源と、噴霧される水の温度との差が約９℃と比較的小さくても、蒸気を発生させることができる。
【先行技術文献】
【特許文献】
【０００４】
【特許文献１】特開２０１０−１６４２２３号公報
【発明の概要】
【発明が解決しようとする課題】
【０００５】
ところで、このようなシェルアンドチューブ型の気水分離器において、効率的に蒸気を発生させるためには、タンクの内部に多くのチューブを配置して、熱交換を行うチューブの表面積を増加させる必要がある。しかしながら、タンクの内部に多くのチューブを配置するために、タンクの高さを高く構成した場合には、チューブに噴霧する水をタンクの上部まで汲み上げるために多くのエネルギーが必要となり、水を汲み上げるポンプによって消費される電力が大きくなってしまう。
【０００６】
本発明は、エネルギー効率をより向上させられる蒸気発生装置を提供することを目的とする。
【課題を解決するための手段】
【０００７】
本発明は、タンク部と、前記タンク部の内部に水平方向に延びて配置され、内部に熱源となる温水が流通するチューブと、前記チューブに温水を供給する温水供給ラインと、前記チューブから温水を排出する温水排出ラインと、前記タンク部の内部における前記チューブよりも上方に配置され、該チューブに水を噴霧する噴霧ノズルと、前記タンク部の上部に設けられ、該タンク部の内部で発生した蒸気を導出する蒸気導出部と、前記タンク部の下部に貯留された水を前記噴霧ノズルに供給する噴霧水供給ラインと、前記噴霧水供給ラインに設けられる噴霧水供給ポンプと、を備え、前記タンク部の奥行き方向の長さは、該タンク部の高さ方向の長さよりも長い蒸気発生装置に関する。
【０００８】
また、前記タンク部は、幅方向の長さが奥行き方向の長さよりも短い複数の直方体状のタンクにより構成され、前記複数のタンクは、該タンクの幅方向に連結されていることが好ましい。
【０００９】
また、前記噴霧ノズルは前記タンクの幅方向の中央領域に前記タンクの奥行き方向に所定の間隔をあけて複数配列され、前記チューブは前記タンクの奥行き方向に延びるとともに、該タンクの幅方向に複数列配置され、前記タンクの幅方向の中央部における前記チューブの本数は、前記タンクの幅方向の側部における前記チューブの本数よりも多いことが好ましい。
【００１０】
また、本発明の蒸気発生装置は、前記タンク部に補給水を供給する補給水ラインと、前記補給水ラインを流通する補給水と前記温水排出ラインを流通する温水との間で熱交換を行う熱交換器と、を更に備えることが好ましい。
【００１１】
また、本発明の蒸気発生装置は、前記補給水ラインに設けられる逆止弁を更に備え、前記逆止弁は、前記補給水ラインの上流側への水の流通を遮断するとともに、所定の圧力以上の水圧を受けた場合に前記補給水ラインによる前記タンク部への補給水の供給を許容することが好ましい。
【００１２】
また、本発明の蒸気発生装置は、前記温水供給ラインと前記温水排出ラインとを接続するバイパスラインを更に備えることが好ましい。
【発明の効果】
【００１３】
本発明によれば、タンクの下部に貯留された水を、噴霧ノズルまで汲み上げるためのポンプで消費される電力を少なくできるので、蒸気発生装置全体のエネルギー効率を更に向上させられる。
【図面の簡単な説明】
【００１４】
【図１】本発明の実施形態に係る蒸気発生装置の概略を示す図である。
【図２】本発明の実施形態に係る蒸気発生装置におけるタンク部（蒸発タンク）を示す斜視図である。
【図３】本発明の実施形態に係る蒸気発生装置におけるタンク部（蒸発タンク）の断面図である。
【発明を実施するための形態】
【００１５】
以下、本発明の実施形態について図面を参照しながら説明する。図１は、本発明の実施形態に係る蒸気発生装置の概略を示す図である。
本実施形態の蒸気発生装置１は、ガスエンジンのジャケット冷却水の排熱等の比較的低温の熱源を利用して蒸気を発生させる。蒸気発生装置１で発生した蒸気は圧縮され、例えば、排熱回収ボイラに送られる。
【００１６】
この蒸気発生装置１は、タンク部２と、タンク部２に設けられる蒸気導出部２４と、タンク部２の内部に配置される噴霧ノズル２３及びチューブ２５と、温水供給ラインＬ１と、温水排出ラインＬ２と、蒸気導出ラインＬ３と、噴霧水供給ラインＬ４と、噴霧水供給ラインＬ４に設けられる噴霧水供給ポンプ７と、連続ブローラインＬ５と、濃縮ブローラインＬ６と、補給水ラインＬ７と、バイパスラインＬ８と、熱交換器３と、を有する。「ライン」とは、流路、経路、管路等の流体の流通が可能なラインの総称である。
【００１７】
タンク部２は、複数台の蒸発タンク２１によって構成され、蒸気を生成する。本実施形態においては、タンク部２は４台の蒸発タンク２１から構成される。
蒸気導出部２４は、タンク部２の上部に設けられる。本実施形態では、蒸気導出部２４は、複数の蒸発タンク２１それぞれの上部に設けられる。この蒸気導出部２４は、タンク部２で生成された蒸気を導出する。
【００１８】
チューブ２５は、タンク部２の内部に水平方向に延びて配置される。このチューブ２５の内部には、熱源となる温水が流通する。
噴霧ノズル２３は、タンク部２の内部におけるチューブ２５よりも上方に配置される。この噴霧ノズル２３は、チューブ２５に向けて水を噴霧する。
以上のタンク部２、噴霧ノズル２３及びチューブ２５については、後ほど詳述する。
【００１９】
温水供給ラインＬ１は、チューブ２５に熱源となる温水を供給する。温水供給ラインＬ１の上流側は、熱源となる温水を供給するガスエンジン等に接続される。温水供給ラインＬ１の下流側は、チューブ２５の一端部に接続される。
【００２０】
温水排出ラインＬ２は、チューブ２５の内部を流通し、熱源として利用された温水を外部に排出する。温水排出ラインＬ２の上流側は、チューブ２５の他端部に接続される。
【００２１】
蒸気導出ラインＬ３は、タンク部２の内部において発生した蒸気を導出する。蒸気導出ラインＬ３の上流側は、蒸気導出部２４に接続される。蒸気導出ラインＬ３の下流側は、エゼクタや蒸気圧縮機等（図示せず）に接続される。
【００２２】
噴霧水供給ラインＬ４は、タンク部２の下部と、噴霧ノズル２３とを接続し、タンク部２の下部に貯留された水を、噴霧水として噴霧ノズル２３に供給する。噴霧水供給ラインＬ４には、噴霧水供給ポンプ７が配置されている。
噴霧水供給ポンプ７は、タンク部２の下部に貯留された水を噴霧ノズル２３まで汲み上げる。
【００２３】
連続ブローラインＬ５及び濃縮ブローラインＬ６は、噴霧水供給ラインＬ４から分岐する。連続ブローラインＬ５及び濃縮ブローラインＬ６によってタンク部２の下部に貯留された水の一部が排水される。連続ブローラインＬ５及び濃縮ブローラインＬ６には、それぞれバルブ５及びバルブ６が配置される。
【００２４】
補給水ラインＬ７は、タンク部２の下部と水を貯留している貯留槽等とを接続する。補給水ラインＬ７は、タンク部２に補給水を供給する。この補給水ラインＬ７には、補給水供給ポンプ８及び逆止弁９が配置される。
補給水供給ポンプ８は、貯留槽等から供給された水を昇圧してタンク部２の内部に供給する。逆止弁９は、補給水ラインＬ７の上流側への水の流通を遮断するとともに、所定の圧力以上の水圧を受けた場合に補給水ラインＬ７によるタンク部２への補給水の供給を許容する。
【００２５】
バイパスラインＬ８は、温水供給ラインＬ１と温水排出ラインＬ２のそれぞれから分岐し、これらを接続する。温水供給ラインＬ１からバイパスラインＬ８への分岐点には三方弁であるバルブ４が配置される。バルブ４を切り替えることによって、供給される温水をタンク部２の内部のチューブ２５に流通させずにバイパスラインＬ８及び温水排出ラインＬ２を経由して排出させることができる。
【００２６】
熱交換器３は、温水排出ラインＬ２を流通する温水と補給水ラインＬ７を流通する水との間で熱交換を行う。
【００２７】
次に、タンク部２、蒸気導出部２４、チューブ２５及び噴霧ノズル２３の構成につき、図２及び図３を参照しながら説明する。
図２は、本実施形態のタンク部２を示す斜視図である。図３（ａ）は、図２の蒸発タンク２１を、奥行き方向と垂直であって、蒸発タンク２１と噴霧水供給ラインＬ４とが接続する部分を通過する面で切断し、蒸発タンク２１の正面方向（Ｘ方向）から観察した断面図（１つの蒸発タンク２１の断面図）である。図３（ｂ）は、蒸発タンク２１を、蒸発タンク２１の幅方向中央部分で、蒸発タンク２１の幅方向と垂直な面で切断し、蒸発タンク２１の側面方向（Ｙ方向）から観察した断面図である。
【００２８】
タンク部２は、図２及び図３に示すように、高さ方向ＨＤの長さ（高さ）Ｈ１が奥行き方向ＬＤの長さ（奥行き）Ｌ１よりも短い直方体状に形成される。本実施形態では、タンク部２は、幅方向ＷＤに連結された複数の蒸発タンク２１から構成される。複数の蒸発タンク２１は、幅方向ＷＤの長さ（幅）Ｗ１が奥行き方向ＬＤの長さＤ１よりも短い直方体形状に形成される。
【００２９】
蒸気導出部２４は、蒸発タンク２１の幅方向ＷＤの中央領域で、かつ、蒸発タンク２１の奥行き方向ＬＤの中央領域に設けられている。
【００３０】
チューブ２５は、蒸発タンク２１の奥行き方向ＬＤに延びるとともに、蒸発タンク２１の幅方向ＷＤに複数本配列され、更に、蒸発タンク２１の高さ方向ＨＤにも複数本配列されている。また、蒸発タンク２１の幅方向ＷＤの中央部に配置されるチューブ２５の間隔Ｗ２は、蒸発タンク２１の幅方向ＷＤの側部に配置されるチューブ２５の間隔Ｗ３よりも狭い。即ち、蒸発タンク２１の幅方向ＷＤの中央部に配置されるチューブ２５の本数は、蒸発タンク２１の幅方向ＷＤの側部に配置されるチューブ２５の本数よりも多くなっている。
【００３１】
チューブ２５のうち蒸発タンク２１の高さ方向ＨＤ下半分に存在するチューブ２５は、温水供給ラインＬ１に接続され、チューブ２５のうち蒸発タンク２１の高さ方向ＨＤ上半分に存在するチューブ２５は、温水排出ラインＬ２に接続される。蒸発タンク２１の高さ方向ＨＤ下半分に存在するチューブ２５と、蒸発タンク２１の高さ方向ＨＤ上半分に存在するチューブ２５とは、蒸発タンク２１の奥行き方向ＬＤ奥側において繋がっており、温水供給ラインＬ１から供給された温水は、蒸発タンク２１の高さ方向ＨＤ下半分に存在するチューブ２５を流通した後に折り返して、蒸発タンク２１の高さ方向ＨＤ上半分に存在するチューブ２５を流通し、温水排出ラインＬ２によって排出される。
【００３２】
噴霧ノズル２３は、蒸発タンク２１の幅方向ＷＤの中央領域に、蒸発タンク２１の奥行き方向ＬＤに所定の間隔をあけて複数配列されている。本実施形態においては、噴霧ノズル２３は、蒸気導出部２４の奥側及び手前側に２つ配置されている。噴霧ノズル２３の噴霧角は広角であり１８０°に近い。
【００３３】
本実施形態の蒸気発生装置１は、次のように動作する。
まず、ガスエンジン等から熱源となる約９１℃の温水が、温水供給ラインＬ１を通じてチューブ２５に供給される。チューブ２５に供給された温水は、タンク部２の高さ方向ＨＤ下側のチューブ２５を流通した後に、タンク部２の高さ方向ＨＤ上側のチューブ２５を流通する。
一方、蒸発タンク２１の内部においては、噴霧ノズル２３からチューブ２５に向けて、噴霧水が噴霧される。また、蒸発タンク２１の内部は、負圧（例えば、−０．０４３ＭＰａＧ）に維持されている。これにより、チューブ２５を流通する温水は、噴霧水によって熱を奪われて約８４℃まで降温し、温水排出ラインＬ２を通じて排出される。
【００３４】
また、温水が流通するチューブ２５には、噴霧ノズル２３から約８２℃の水が噴霧されることで、表面に薄い液膜が形成される。このように、負圧に維持された状態において、チューブ２５の表面に薄い液膜が形成されることによって、チューブ２５内を流通する温水と、噴霧ノズル２３によって噴霧される水との温度差が比較的小さい場合（例えば、約９℃）であっても効率的に蒸気を発生させることが可能になる。
【００３５】
噴霧ノズル２３から噴霧される水は、チューブ２５の表面で蒸発することから、チューブ２５の表面の液膜は、タンク部２の高さ方向ＨＤ下側のチューブ２５ほど薄くなる。上記のように、温水を、タンク部２の高さ方向ＨＤ下側のチューブを流通させた後に、タンク部２の高さ方向ＨＤ上側のチューブを流通させるようにすれば、より高温の温水の流通するチューブ２５ほど、チューブ２５の表面の液膜が薄くなる。チューブ２５表面の液膜の薄い部分で、温水と液膜の水との熱交換を行った方が、蒸気発生装置全体の蒸気の発生効率は高くなる傾向にあることから、タンク部２の高さ方向ＨＤにおいて下側のチューブ２５から上側のチューブ２５の順序で熱源となる温水を流通させる。
【００３６】
蒸発タンク２１の内部で発生した蒸気は、蒸気導出部２４から導出され、蒸気導出ラインＬ３を通じてエゼクタや蒸気圧縮機等に供給される。
【００３７】
蒸発タンク２１の内部で蒸気にならなかった水は、蒸発タンク２１の下部に貯留される。蒸発タンク２１の下部に貯留された水は、噴霧水供給ラインＬ４を通じて、噴霧水供給ポンプ７によって噴霧ノズル２３まで汲み上げられ、再びチューブ２５に噴霧される。
【００３８】
噴霧水供給ラインＬ４から分岐する連続ブローラインＬ５及び濃縮ブローラインＬ６は、蒸発タンク２１に貯留された水を排水する。蒸発タンク２１に貯留された水は、噴霧水供給ラインＬ４と、タンク部２との間を循環するので、この循環を継続し続けると、タンク部２に貯留された水は、タンク部２内で発生した蒸気の分だけ減少し、塩化物イオン等の有害なイオンの濃度が上昇する。循環する水の過濃縮によって蒸気発生装置の腐食や故障のリスクが高まってしまうことを避けるために、連続ブローラインＬ５や濃縮ブローラインＬ６によって循環する水を排出する。連続ブローラインＬ５及び濃縮ブローラインＬ６には、それぞれバルブ５及びバルブ６が備えられている。連続ブローラインＬ５は、バルブ５を開放することによって、常に一定量の水を排出、あるいは、一定時間ごとに一定量の水を排出する。濃縮ブローラインＬ６は、タンク部２に貯留された水の塩化物イオン等の濃度の値を監視し、その値が一定の基準を超えた場合にバルブ６を開放し一定量の水を排出する。
【００３９】
噴霧水供給ラインＬ４と、タンク部２との間を循環する水が少なくなった場合には、補給水ラインＬ７から蒸発タンク２１に補給水が補給される。補給水ラインＬ７によって補給される水は、熱交換器３によって、温水排出ラインＬ２を流通する温水と熱交換を行う。補給水ラインＬ７によって補給される水は、温水排出ラインＬ２を流通する温水と熱交換を行うことによって、例えば、約４０℃へ昇温される。
【００４０】
また、補給水ラインＬ７の上流側への水の流通を遮断するとともに、所定の圧力以上の水圧を受けた場合に補給水ラインＬ７によるタンク部２への補給水の供給を許容する機能を有している逆止弁９を補給水ラインＬ７に備えることによって、蒸気発生装置１が停止した直後の補給水のタンク部２への流入を防止できる。つまり、蒸気発生装置１の運転時にはタンク部２の内部は負圧になっているため、蒸気発生装置１を停止した直後には補給水がタンク側へ流入しようとする力が働くが、逆止弁９は、順方向（タンク部２側）へ水が流れるためにもある程度の圧力が必要なので、タンク部２内が若干負圧になっている程度では補給水がタンク部２側へ流入しない。
【００４１】
更に、蒸気発生装置１はバイパスラインＬ８を備える。蒸気導出ラインＬ３の下流に接続されている蒸気圧縮機等の周辺機器に何らかのトラブルが発生した際に、蒸発タンク２１内のチューブ２５に温水を流通させ続けた場合、蒸発タンク２１内の温度が低下せず、望まない過剰な量の蒸気が発生してしまう。このような周辺機器のトラブルの際には、温水を蒸発タンク２１内のチューブ２５に流通させず、バルブ４を切り替えることによってバイパスラインＬ８に温水を流通させることで過剰な量の蒸気の発生を防止できる。また、蒸気発生装置１全体の電源を停止するのではなく、バイパスラインＬ８を使用することによって、タンク部２内に貯留された水の水位や水温の低下を招くことがなく、周辺機器がトラブルから復旧した際にも蒸気発生の立ち上げを早くすることができる。
【００４２】
本実施形態に係る蒸気発生装置１は、以下のような効果を奏する。
（１）タンク部２の奥行き方向ＬＤの長さＤ１は、該タンク部２の高さ方向ＨＤの長さＨ１よりも長い。これにより、タンク部２（蒸発タンク２１）の下部に貯留された噴霧水を噴霧水供給ポンプ７によって噴霧ノズルまで汲み上げるためのエネルギーを抑えることができ、噴霧水供給ポンプ７による消費電力を節約することができる。また、タンク部２の高さを低くすると、タンク部２内に配置することのできるチューブが少なくなり、蒸気の発生量が下がってしまうことになるが、タンク部２の奥行き方向の長さを長くすることで、チューブの長さを長くして蒸気の発生量が下がらないようにしている。このように、蒸気の発生効量を下げることなく、蒸気発生装置１全体でのエネルギー効率を更に向上させることができる。
【００４３】
（２）タンク部２が、幅方向ＷＤの長さＷ１が奥行き方向ＬＤの長さＤ１よりも短い複数の蒸発タンク２１により構成され、複数の蒸発タンク２１を、蒸発タンク２１の幅方向ＷＤに連結させた。仮に、タンク部２を１台の大型タンクで構成した場合、耐圧のための板厚が必要になり、タンクの作製のコストが大きくなる上に、大型タンクの設置の届出や性能検査が必要になってしまう場合もあるが、本実施形態の蒸気発生装置１では、そのような問題を回避することもできる。つまり、薄い板厚で蒸発タンク２１を作製することが可能になりコストが削減できる上に、蒸発タンク２１をそれぞれ小型圧力容器規格に収まるようにすれば、設置届けや性能検査等の管理コストも削減できる。更には、複数の蒸発タンク２１の配置台数を適宜変更することによって蒸気発生装置１の蒸気の発生能力を容易に変更することが可能となる。
【００４４】
（３）噴霧ノズル２３を蒸発タンク２１の幅方向ＷＤの中央領域に蒸発タンク２１の奥行き方向ＬＤに所定の間隔をあけて複数配列し、チューブ２５を蒸発タンク２１の奥行き方向ＬＤに延ばすとともに、蒸発タンク２１の幅方向ＷＤに複数列配置し、蒸発タンク２１の幅方向ＷＤの中央部におけるチューブ２５の本数を、蒸発タンク２１の幅方向ＷＤの側部におけるチューブ２５の本数よりも多く配置する構成とした。噴霧ノズル２３の噴霧角を広角にしたとしても、蒸発タンク２１の幅方向ＷＤの中央部の方が側部よりも、噴霧される水の量が多くなってしまうので、蒸発タンク２１の幅方向ＷＤの中央部の方に、側部よりも多くのチューブ２５を配置することによって、チューブ２５の表面に均一に液膜を形成させることができ、蒸気発生装置１の蒸気の発生効率が高くするこが可能である。
【００４５】
（４）温水排出ラインＬ２を流通する温水と補給水ラインＬ７を流通する補給水との間で熱交換を行う熱交換器３を備えることによって、タンク部２に補給される補給水の温度をあらかじめ上げておくことができ、蒸気発生装置１の蒸気の発生効率が高くすることが可能である。
【００４６】
（５）補給水ラインＬ７の上流側への水の流通を遮断するとともに、所定の圧力以上の水圧を受けた場合に補給水ラインＬ７によるタンク部２への補給水の供給を許容する機能を有している逆止弁９を備えることによって、蒸気発生装置１の停止直後の補給水のタンク部２への流入を防止できる。つまり、蒸気発生装置１の運転時にはタンク部２（蒸発タンク２１）の内部は負圧になっているため、蒸気発生装置１を停止した直後には補給水がタンク側へ流入しようとする力が働くが、逆止弁９は、順方向（タンク部２側）へ水が流れるためにもある程度の圧力が必要なので、タンク部２内が若干負圧になっている程度では補給水がタンク部２側へ流入しない。
【００４７】
（６）蒸気発生装置１はバイパスラインＬ８を備える。蒸気導出ラインＬ３の下流に接続されている蒸気圧縮機等の周辺機器に何らかのトラブルが発生した際に、蒸発タンク２１内のチューブ２５に温水を流通させ続けた場合、蒸発タンク２１内の温度が低下せず、望まない過剰な量の蒸気が発生してしまう。このような周辺機器のトラブルの際には、温水を蒸発タンク２１内のチューブ２５に流通させず、バルブ４を切り替えることによってバイパスラインＬ８に温水を流通させることで過剰な量の蒸気の発生を防止できる。また、蒸気発生装置１全体の電源を停止するのではなく、バイパスラインＬ８を使用することによって、タンク部２内に貯留された水の水位や水温の低下を招くことがなく、周辺機器がトラブルから復旧した際にも蒸気発生の立ち上げを早くすることができる。
【００４８】
以上、本発明の蒸気発生装置の好ましい一実施形態について説明したが、本発明は、上述した実施形態に制限されるものではなく、適宜変更が可能である。
【符号の説明】
【００４９】
１  蒸気発生装置
２  タンク部
３  熱交換器
４，５，６  バルブ
７  噴霧水供給ポンプ
８  補給水供給ポンプ
９  逆止弁
２１  蒸発タンク
２３  噴霧ノズル
２４  蒸気導出部
２５  チューブ
Ｌ１  温水供給ライン
Ｌ２  温水排出ライン
Ｌ３  蒸気導出ライン
Ｌ４  噴霧水供給ライン
Ｌ５  連続ブローライン
Ｌ６  濃縮ブローライン
Ｌ７  補給水ライン
Ｌ８  バイパスライン
【図１】
2014062663.tif 000003
【図２】
2014062663.tif 000004
【図３】
2014062663.tif 000005